(57)【特許請求の範囲】
【請求項１】
裏面側まで貫通する、リブで囲まれた音孔を、その前面側にのみ有するスピーカグリルであって、前記音孔は前記スピーカグリルの外周寄り部分および中心寄り部分に配されるとともに、前記外周寄り部分および中心寄り部分の音孔の境界部分には補強リブ帯が配されることを特徴とするスピーカグリル。
【請求項２】
前記補強リブ帯は、所定の幅を有し、その内部には音孔が設けられていないことを特徴とする請求項１に記載のスピーカグリル。
【請求項３】
裏面側まで貫通する、リブで囲まれた音孔を、その前面側にのみ有するスピーカグリルであって、前記スピーカグリルは、スピーカーとの間の空間を側面から囲う音響管部分を有するとともに、前記リブは、リブの間隔以上の厚みを有し、かつ、前記スピーカグリルの音響管部分と同一またはほぼ同一の厚みを有するよう構成されていることを特徴とするスピーカグリル。
【請求項４】
前記リブは、２０ｍｍ以上の長さであることを特徴とする請求項３に記載のスピーカグリル。
【請求項５】
前記音孔の開口率は、５８％以上であることを特徴とする請求項１〜４に記載のスピーカグリル。
【請求項６】
請求項１〜５のいずれかに記載のスピーカグリルを内蔵したことを特徴とするテレビジョン受像機。
【発明の詳細な説明】
【０００１】
【発明の属する技術分野】
この発明はスピーカグリルに関する(Ｈ0４Ｒ  １／０２)ものである。
【０００２】
【従来の技術】
一般に、音質的にはスピーカの前面にグリルを設けずそのまま音を出力するのが一番良いのだが、スピーカを保護しながら音を出す方法としては、スピーカ前面にある程度の強度とスピーカからの距離を持たせたネットを伴ったグリルを取り付けるほかない。また、スピーカの存在を消すため音孔を小さくするにも最適であった。
【０００３】
例えばテレビジョン受像機の場合、テレビジョン受像機の筐体に音孔をあけ、そのテレビジョン受像機筐体からスピーカエッジ外周部までの間に音響管を設置し、音が漏れないよう音孔に導いていた。また、スピーカの同心円の中心から外周部方向に開口部の開口率を増加させていた。
【０００４】
従来、この音響グリルを備えたスピーカ装置としては、例えば、特開平１０−２３５８２号公報に記載されたものや、特開平７−５９１８４号公報に記載されたものや、特開平７−１５４８８９号公報に記載されたものがよく知られている。図１０に特開平１０−２３５８２号公報に記載されている「スピーカ装置のバッフル構造分解斜視図」を示す。
【０００５】
【発明が解決しようとする課題】
しかし、上記スピーカグリル形状では音孔部を直径８ｍｍ程度のピンゲージを用い１００Nの力で押しても変形しない強度を確保するため音孔を大きく開けることができずまた、厚みも多くとる必要があった。その結果、音孔が小さくリブが太いため開口率が３０％以下となり、音孔面の厚みも１ｍｍ以上になるため音響抵抗が大きくなり、図７に示すように元のスピーカ音響特性図１０とは大きく変わっている。
【０００６】
また、スピーカ取付けに必要なビス長さを確保するため、筐体とスピーカを長さ１０ｍｍ以上の音響管で結合した構造の音響グリルや、スピーカ振動版直径より大きな同心円状に設けた音孔で外周部方向に開口部の開口率を増加させた音響グリルでは、スピーカと音孔の間に生じた閉空間で管共振や負荷質量が生じ、図８に示すように元のスピーカ音響特性図１０とは大きく変わってしまう。
【０００７】
前記二つの内容が合わさると、図９に示すようにスピーカ音響特性がさらに大きく変わる。また、図１１に示すような音響管８の下部に貫通孔９を設けても、貫通孔９から出るプラス位相の音とスピーカの後部から出るマイナス位相の音が交わり低音域の音圧を失うこととなる。また、スピーカの存在を表現するために音孔を大きくすることは、上記強度を確保しながらが実現するのに不向きだった。
【０００８】
本発明は、本来のスピーカの性能を最大限に確保しながら、スピーカを保護するスピーカグリルを提供することである。
【０００９】
【課題を解決するための手段】
上述課題を解決する為に、第１の発明は、裏面側まで貫通する、リブで囲まれた音孔を、その前面側にのみ有するスピーカグリルであって、前記音孔は前記スピーカグリルの外周寄り部分および中心寄り部分に配されるとともに、前記外周寄り部分および中心寄り部分の音孔の境界部分には補強リブ帯が配されることを特徴とする。
【００１０】
上記のように第１の発明によれば、スピーカの振動を妨げない様必要な部分のみの開口率を大きくとることで、不必要な開口部を設ける必要が無く、必要な強度と良好なスピーカ音響特性を得ることができる。
【００１１】
上述課題を解決する為に、第２の発明は、裏面側まで貫通する、リブで囲まれた音孔を、その前面側にのみ有するスピーカグリルであって、前記スピーカグリルは、スピーカーとの間の空間を側面から囲う音響管部分を有するとともに、前記リブは、リブの間隔以上の厚みを有し、かつ、前記スピーカグリルの音響管部分と同一またはほぼ同一の厚みを有するよう構成されていることを特徴とする。
【００１２】
上記のように第２の発明によれば、格子状のリブを設けることで、スピーカと音孔の間の閉空間で生じた管共振や負荷質量を低減でき、強度も向上することができる。
【００１３】
上述課題を解決する為に、第３の発明は、音孔の開口率を、５８％以上としたことを特徴とする。
【００１４】
上記のように、第３の発明によれば、スピーカグリルの開口を大きく取ることが可能となるため、音響特性と強度を確保できる。
【００１５】
上述課題を解決する為に、第４の発明は、第１〜３の発明にかかるスピーカグリルを内蔵したテレビジョン受像機である。
【００１６】
上記のように、第４の発明は第１〜３の発明のスピーカグリルをテレビジョン受像機に内蔵したものである。これにより音響特性と強度を確保できる。
【００１７】
【発明の実施の形態】
以下、本発明の実施の形態について、図１〜６を用いて説明する。
【００１８】
（実施の形態１）
図１は、本発明の一実施形態１に係わるスピーカグリルの構成を示す。図２は図１の音響特性図である。図１において、本発明のスピーカグリル１はスピーカ２の前面部に不均一な開口率の孔形状を有した音孔群３を配置したことを特徴とするスピーカグリルである。
【００１９】
この音孔群の開口率・面積・位置・形状はスピーカの個性に合せ設定を変えてもらって構わない。この実施例では音孔群３の開口率を全て５８％に設定した。振動部分の径が５０mmのスピーカ１に対し音孔群の径はスピーカ１の中央部から同心円状に２５mmの音孔群３とスピーカ振動部分の外周から同心円状に４０mmの音孔群３とでなり、その他は音孔がない。
【００２０】
これにより、スピーカから音が放射される面だけに開口を与え、不必要な部分に孔をあけずリブ４としたため、必要な強度と良好なスピーカ音響特性を得ることができる。
【００２１】
一方、上記本発明の一実施形態にかかるスピーカグリル１を搭載したテレビジョン受像機筐体１００を図３に示す。
【００２２】
（実施の形態２）
図４は、本発明の一実施形態２に係わるスピーカグリルの構成を示す。図５は図４の音響特性図である。図４において、本発明のスピーカグリル５はスピーカ２の前面部に孔形状に応じた格子状のリブ６を音響管７の長さに近似させて配置したことを特徴とするスピーカグリルである。
【００２３】
このリブ６は音響管７の長さと等しいことが望ましいが、ある程度短くしても構わないし、音孔部の開口率が場所により不均一で、形状が異なってもかまわない。この実施例では音孔の開口率を全て５８％に設定し、リブ６の長さを２０mmとした。これにより、スピーカと音孔の間の閉空間で生じた管共振や負荷質量を低減でき、強度も向上することができる。
【００２４】
一方、上記本発明の一実施形態にかかるスピーカグリル５を搭載したテレビジョン受像機筐体１０１を図６に示す。
【００２５】
【発明の効果】
以上のような本発明によれば、スピーカグリルにより生じる共振や音響抵抗を減少でき、本来のスピーカ特性に近い音を再現することができる。
【図面の簡単な説明】
【図１】本発明の一実施形態１におけるスピーカグリル斜視図
【図２】図１の一実施形態における音響特性図
【図３】本発明によるスピーカグリル１を搭載したテレビジョン受像機筐体図
【図４】本発明の一実施形態２におけるスピーカグリル斜視図
【図５】図３の一実施形態における音響特性図
【図６】本発明によるスピーカグリル４を搭載したテレビジョン受像機筐体図
【図７】開口率３０％厚み１mmのグリルによる音響特性図
【図８】音響管２０mmのグリルによる音響特性図
【図９】開口率３０％・厚み１mm・音響管２０mmのグリルによる音響特性図
【図１０】グリルの無いスピーカ音響特性図
【図１１】従来の一実施形態におけるスピーカグリル斜視図
【符号の説明】
１  スピーカグリル
２  スピーカ
３  音孔群
４  リブ
５  スピーカグリル
６  リブ
７  音響管
８  音響管
９  貫通孔
１００  テレビジョン受像機筐体
１０１  テレビジョン受像機筐体
【図１】
0003899863.tif 000002
【図２】
0003899863.tif 000003
【図３】
0003899863.tif 000004
【図４】
0003899863.tif 000005
【図５】
0003899863.tif 000006
【図６】
0003899863.tif 000007
【図７】
0003899863.tif 000008
【図８】
0003899863.tif 000009
【図９】
0003899863.tif 000010
【図１０】
0003899863.tif 000011
【図１１】
0003899863.tif 000012